(57)【要約】      （修正有）【課題】大人はむろんのこと、子供が携行し効果的に使用することができるスプレー型防犯装置を提供すること。【解決手段】液状物質及び液状物質を噴射させるための加圧用ガスを収容した筒状の容器本体部１１と、容器本体部１１の中心軸方向の一端側に設けられ、容器本体部１１の中心軸方向に液状物質を噴射させるノズル部１３と、容器本体部１１に取り付けられ、少なくともノズル部１３のノズル孔１３ａに対面する箇所を除いてノズル部１３を覆うキャップ部12と、一端が、容器本体部１１の中心軸方向に対するノズル部１３の移動を係止するとともに、ノズル部１３の中心軸とほぼ直角方向に移動可能なノズル係止部１４ａで構成され、他端又は前記一端を除く一部が、容器本体部１１又はキャップ部１２に取り付けられたボタン１４を備え、ボタン１４の操作によって、液状物質を噴射させることができるように構成されている。【選択図】図４
0003105413.tif 000002
【実用新案登録請求の範囲】
【請求項１】
液状物質を噴射する携帯型のスプレー型防犯装置であって、
前記液状物質及び該液状物質を噴射させるための加圧用ガスを収容した筒状の容器本体部と、
該容器本体部の中心軸方向の一端側に設けられ、該容器本体部の中心軸方向に前記液状物質を噴射させるノズル部と、
前記容器本体部に取り付けられ、少なくとも前記ノズル部のノズル孔に対面する箇所を除いて前記ノズル部を覆うキャップ部と、
一端が、前記容器本体部の中心軸方向に対する前記ノズル部の移動を係止するとともに、前記ノズル部の中心軸とほぼ直角方向に移動可能なノズル係止部で構成され、他端又は前記一端を除く一部が、前記容器本体部又は前記キャップ部に取り付けられたボタンとを備え、
該ボタンの操作によって、前記液状物質を噴射させることができるように構成されていることを特徴とするスプレー型防犯装置。
【請求項２】
前記キャップ部及び前記ボタンが一体的に構成され、該ボタンが側面視Ｌ字形であり、該Ｌ字形の一端が前記キャップ部に固定され、他端側にスペーサとしての機能を有する前記ノズル係止部が設けられていることを特徴とする請求項１記載のスプレー型防犯装置。
【請求項３】
さらに、前記容器本体部の外側に、電源を含む警報音発生手段を備え、前記ボタンを操作した際に、該ボタンの移動によって、前記警報音発生部を動作させるための電気的接続を生じさせるスイッチング手段を備え、前記液状物質の噴射とともに、警報音を発生させることができるように構成されていることを特徴とする請求項１又は２記載のスプレー型防犯装置。
【請求項４】
さらに、前記ボタンの移動を係止するボタン係止手段を備えていることを特徴とする請求項１〜３のいずれかの項に記載のスプレー型防犯装置。
【請求項５】
液状物質を噴射する携帯型のスプレー型防犯装置であって、
前記液状物質及び該液状物質を噴射させるための加圧用ガスを収容した筒状の容器本体部と、
該容器本体部の中心軸方向の一端側に設けられ、該容器本体部の中心軸方向に前記液状物質を噴射させるノズル部と、
前記容器本体部に取り付けられ、少なくとも前記ノズル部のノズル孔に対面する箇所を除いて前記ノズル部を覆うキャップ部と、
一端側に、前記ノズル孔を密封するノズル栓が設けられ、他端側が前記容器本体部又は前記キャップ部に取り付けられ、前記一端側と前記他端側との間に、前記容器本体部の中心軸方向に折れ曲がり可能な屈曲部を有するレバー型ボタンとを備え、
該ボタンの操作によって、前記液状物質を噴射させることができるように構成されていることを特徴とするスプレー型防犯装置。
【請求項６】
さらに、前記容器本体部の外側に電源を含む警報音発生手段を備え、前記レバー型ボタンを操作した際に、該レバー型ボタンの操作によって、前記警報音発生部を動作させるための電気的接続を生じさせるスイッチング手段を備え、前記液状物質の噴射とともに、警報音を発生させることができるように構成されていることを特徴とする請求項５記載のスプレー型防犯装置。
【請求項７】
さらに、前記レバー型ボタンの動きを係止するレバー型ボタン係止手段を備えていることを特徴とする請求項５又は６記載のスプレー型防犯装置。
【請求項８】
前記液状物質が、粘着性、異臭性又は汚物状の物質であることを特徴とする請求項１〜７のいずれかの項に記載のスプレー型防犯装置。
【請求項９】
少なくとも、前記容器本体部及びキャップ部が、カモフラージュ用カバーで覆われていることを特徴とする請求項１〜８のいずれかの項に記載のスプレー型防犯装置。
【請求項１０】
前記カモフラージュ用カバーが、縫いぐるみ状のカバーであることを特徴とする請求項９記載のスプレー型防犯装置。
【請求項１１】
前記カモフラージュ用カバーにおける前記ボタンに対応する位置に、触感によって識別可能なプッシュ部を備えていることを特徴とする請求項９又は１０に記載のスプレー型防犯装置。
【請求項１２】
前記電源が電池であり、前記キャップ部又は前記警報発生手段のケース部に電池の残量表示部を備えていることを特徴とする請求項３又は請求項６記載のスプレー型防犯装置。
【請求項１３】
少なくとも、前記容器本体部及びキャップ部が、人形又は動物の縫いぐるみ状のカモフラージュ用カバーで覆われ、前記人形又は動物の目の部分が前記電池の残量表示部となっていることを特徴とする請求項１２記載のスプレー型防犯装置。
【考案の詳細な説明】
【考案の属する技術分野】
【０００１】
本考案は、携帯可能なスプレー型防犯装置に関し、さらに詳しくは、大人はもとより特に子供が携行し効果的に使用することができるスプレー型防犯装置に関する。
【背景技術】
【０００２】
路上などでの犯罪に備える携帯型の防犯装置には、いくつかのタイプがある。機能別に分けると、警報音等によって犯人を驚かすとともに周囲に被害に遭っていることを知らせる警報型、逃走する犯人に塗料などのマークを付着させ犯人の捜査を容易にするマーキング型、犯人が嫌がるような悪臭、塗料、催涙性のガスなどをスプレーする犯人撃退型などである。
【０００３】
これらの防犯装置を大人が利用する場合には、様々な器具の取り扱いに慣れている人が多く、動作や操作の手順を身に付ける能力も高いので、利用可能な装置の選択範囲が比較的広い。しかし、路上などで、不意に暴漢に襲われたりする事態に遭遇した場合には、大人であっても平静さを失いやすいので、たとえ防犯装置を携行していたとしても、その装置を効果的に活用できるとは限らない。子供の場合には、子供が使用するのに適した防犯装置が少ない上に、その装置をうまく使いこなすことは無理なことが多いので、防犯装置を効果的に活用することはいっそう難しいと言える。
【０００４】
従来の携帯型の防犯装置には上記のようにいくつかのタイプがあり、警報型には、例えばポケットベルがある。警報型は、周囲に第三者がいる場合には有効であるが、人気の少ない場所では、その効果を期待することができない。
マーキング型の例としては、例えば、「防犯用エアゾール噴射器」（特許文献１）、「液体銃及び液体弾」（特許文献２）などが提案されている。
【０００５】
図１６は、特許文献１に開示されているエアゾール型のスプレー装置「防犯用エアゾール噴射器」の構成を示す断面図である。この防犯用エアゾール噴射器は、アルミニウム缶１０１に、マーキング液１０２及び窒素ガス１０３が充填されており、容器を片手に持ち、ボタン１０５を指で押し下げることによってバルブ１０６を開き、ノズル１０４からマーキング液１０２をスプレーするようになっている。ノズル１０４は「棒状噴射タイプ」であり、窒素ガス１０３の圧力を０．８８ＭＰａとすることによって、約１０ｍ先まで、マーキング液１０２を飛ばすことができるとされている。なお、ボタン１０５の周りは、指を入れる部分を除きキャップ１０７で覆われている。
【０００６】
図１７は、特許文献２に開示されているピストル型のスプレー装置「液体銃及び液体弾」の構成を示す断面図である。この液体銃の場合、引き金２０３を引くと、スプリング２０５が解放されて押圧ヘッド２０４を押し、押圧ヘッド２０４が塗料弾２００のピストン２０２に衝突する。ピストン２０２が押されると、塗料弾２００が移動し弾性膜２０６が針部２０７に接して破断して、塗料弾２００内の塗料２１０が射出口２０１からスプレーされるようになっている。
【０００７】
犯人撃退型の噴射装置には、通常上記のようなエアゾール型又はピストル型のスプレー装置が用いられる。噴射剤の例としては、痴漢撃退用、護身用の催涙性のガスが挙げられ、例えば、ＣＮガス（クロロアセトフェノン）、ＣＳガス（オルト−クロロベンジリデン−マロノニトリル）、赤唐辛子の抽出液を主成分とするＯＣガスなどがある。また、暴漢などの撃退対象者以外の人への被害を防止するために、催涙作用を弱めた催涙水溶液とそのスプレー装置も提案されている（例えば、特許文献３）。特許文献３に開示されている催涙水溶液は、催涙刺激物質であるＬ−メントールを含むエタノール溶液が水で希釈されたものである。噴射剤としては、その他、腐食臭、汚物臭などを有する液又はガス、高粘着性物質なども提案されている。
【０００８】
上記のように、マーキング型、犯人撃退型の防犯装置には、主として、図１６に示したエアゾール型又は図１７に示したピストル型が用いられている。これらの装置を使用する時には、ピストル型の場合は、ハンドル部２０８を片手で持って、銃口に相当する噴射口２０１を相手に向け、引き金２０３を引いて噴射させる。エアゾール型の場合にも、筒状の容器本体（アルミニウム缶１０１）を片手で立てた状態で持ち、ノズル（噴射口）１０４を相手に向け、弁開閉用のボタン１０５を押すことによって噴射させる。
【０００９】
ピストル型やエアゾール型の防犯装置は、比較的使いやすく、身近にいる相手に対しては、スプレーしやすいという長所がある。しかし、学童などの子供が使用することを想定すると、必ずしも子供に適した防犯装置とは言えない。
【００１０】
例えば、ピストル型にしても、エアゾール型にしても、噴射口２０１、ノズル１０４を相手に向けてスプレーするものであるので、相手を狙うという構える動作が必要である。そのような動作は、相手にすぐに察知され、子供や非力な大人の場合には、腕力で防犯装置を取り上げられてしまい、使うことができないという事態が生じやすい。さらに、使用する前であっても、その形態から相手に防犯スプレーであることを簡単に見分けられてしまうという可能性も高い。また、催涙性のガスは、使用する側も被害を受ける可能性があり、体力のない子供の場合には、健康を害する恐れがある。
【００１１】
また、防犯装置を効果的に利用するためには、いつでもすぐに使える状態にしておくことが必要である。そのためには、できれば体やランドセルなどに付けた状態で携行し、すぐに使えるようにしておくことが好ましい。しかし、従来の防犯装置の場合、一見して防犯装置であることを相手に悟られてしまうという欠点がある。また、袋などに入れて隠した状態で携行する場合には、取り出す手間を必要とするので、すぐに使えないという問題点がある。
【特許文献１】特開２０００−３４８３号公報
【特許文献２】特開２００２−１１３３９９号公報
【特許文献３】特開２００３−２５４６９６号公報
【考案の開示】
【課題を解決するための手段及び効果】
【００１２】
本考案は、従来のスプレー型防犯装置の有する課題に鑑みなされたものであって、大人はむろんのこと、子供が携行し効果的に使用することができるスプレー型防犯装置を提供することを目的としている。
【００１３】
上記課題を解決するために、本考案に係るスプレー型防犯装置（１）は、液状物質を噴射する携帯型のスプレー型防犯装置であって、前記液状物質及び該液状物質を噴射させるための加圧用ガスを収容した筒状の容器本体部と、該容器本体部の中心軸方向の一端側に設けられ、該容器本体部の中心軸方向に前記液状物質を噴射させるノズル部と、前記容器本体部に取り付けられ、少なくとも前記ノズル部のノズル孔に対面する箇所を除いて前記ノズル部を覆うキャップ部と、一端が、前記容器本体部の中心軸方向に対する前記ノズル部の移動を係止するとともに、前記ノズル部の中心軸とほぼ直角方向に移動可能なノズル係止部で構成され、他端又は前記一端を除く一部が、前記容器本体部又は前記キャップ部に取り付けられたボタンを備え、該ボタンの操作によって、前記液状物質を噴射させることができるように構成されていることを特徴としている。
【００１４】
上記スプレー型防犯装置（１）によれば、容器本体部を片手に持ち、装置を見ることなくボタンを指１本で操作し、液状物質をスプレーすることができる。すなわち、手を下げたまま相手を見ている状態で、液状物質を相手に吹き付けることができる。したがって、相手に防犯用スプレーであることを見破られる前に、スプレーすることが容易である。また、ボタンは指の蝕感で見分けることが可能であり、さらに、例えば、指先で押すという簡単な操作でスプレーすることができる。このように、防犯用スプレーであることが相手に見破られにくく、操作が簡単であるので、素早く取り扱うことに慣れていない子供であっても、スプレー型防犯装置を効果的に使用することができる。さらに、ノズル部がキャップで覆われているので、日常携行していても、液状物質を誤って噴射させてしまう恐れが低い。
【００１５】
また、本考案に係るスプレー型防犯装置（２）は、上記スプレー型防犯装置（１）において、前記キャップ部と前記ボタンとが一体的に構成され、該ボタンが側面視Ｌ字形であり、該Ｌ字形の一端が前記キャップ部に固定され、他端側にスペーサとしての機能を有する前記ノズル係止部が設けられていることを特徴としている。
上記スプレー型防犯装置（２）によれば、キャップとボタンとが一体的に構成されており、これらはポリプロピレン等の樹脂を材料として成形加工することができるので、製造コストが低く、様々な形状に成形することができるという長所がある。
【００１６】
また、本考案に係るスプレー型防犯装置（３）は、上記スプレー型防犯装置（１）又は（２）において、さらに、前記容器本体部の外側に電源を含む警報音発生手段を備え、前記ボタンを操作した際に、該ボタンの移動によって、前記警報音発生部を動作させるための電気的接続を生じさせるスイッチング手段を備え、前記液状物質の噴射とともに、警報音を発生させることができるように構成されていることを特徴としている。
上記スプレー型防犯装置（３）によれば、液状物質の噴射とともに、警報音により周囲に緊急事態の発生を知らせることができるので、防犯効果をよりいっそう向上させることができる。
【００１７】
また、本考案に係るスプレー型防犯装置（４）は、上記スプレー型防犯装置（１）〜（３）のいずれかにおいて、さらに、前記ボタンの移動を係止するボタン係止手段を備えていることを特徴としている。
上記スプレー型防犯装置（４）によれば、ボタンの移動を係止するボタン係止手段を備えているので、スプレー型防犯装置（４）を使用状態にする時にのみ、ボタンを押し込めるようにセットすることができる。したがって、非使用時における誤動作を防止することが可能であるので、取り扱い性を大幅に向上させることができる。
【００１８】
また、本考案に係るスプレー型防犯装置（５）は、液状物質を噴射する携帯型のスプレー型防犯装置であって、前記液状物質及び該液状物質を噴射させるための加圧用ガスを収容した筒状の容器本体部と、該容器本体部の中心軸方向の一端側に設けられ、該容器本体部の中心軸方向に前記液状物質を噴射させるノズル部と、前記容器本体部に取り付けられ、少なくとも前記ノズル部のノズル孔に対面する箇所を除いて前記ノズル部を覆うキャップ部と、一端側に、前記ノズル孔を密封するノズル栓が設けられ、他端側が前記容器本体部又は前記キャップ部に取り付けられ、前記一端側と前記他端側との間に、前記容器本体部の中心軸方向に折れ曲がり可能な屈曲部を有するレバー型ボタンとを備え、該ボタンの操作によって、前記液状物質を噴射させることができるように構成されていることを特徴としている。
【００１９】
上記スプレー型防犯装置（５）によれば、容器本体部を片手に持ち、装置を見ることなくボタンを指１本で操作し、液状物質をスプレーすることができる。すなわち、手を下げたまま相手を見ている状態で、液状物質を相手に吹き付けることができる。したがって、相手に防犯用スプレーであることを見破られる前に、スプレーすることが容易である。また、ボタンは指の蝕感で見分けることが可能であり、さらに、指先で押すという簡単な操作でスプレーすることができる。このように、防犯用スプレーであることが相手に見破られにくく、操作が簡単であるので、素早く取り扱うことに慣れていない子供であっても、スプレー型防犯装置を効果的に使用することができる。さらに、ノズル部及びボタンがキャップで覆われているので、日常携行していても、液状物質を誤って噴射させてしまう恐れが低い。
【００２０】
また、本考案に係るスプレー型防犯装置（６）は、上記スプレー型防犯装置（５）において、さらに、前記容器本体部の外側に電源を含む警報音発生手段を備え、前記レバー型ボタンを操作した際に、該レバー型ボタンの操作によって、前記警報音発生部を動作させるための電気的接続を生じさせるスイッチング手段を備え、前記液状物質の噴射とともに、警報音を発生させることができるように構成されていることを特徴としている。
上記スプレー型防犯装置（６）によれば、液状物質の噴射とともに、警報音により周囲に緊急事態の発生を知らせることができるので、防犯効果をよりいっそう向上させることができる。
【００２１】
また、本考案に係るスプレー型防犯装置（７）は、上記スプレー型防犯装置（５）又は（６）において、さらに、前記レバー型ボタンの動きを係止するレバー型ボタン係止手段を備えていることを特徴としている。
上記スプレー型防犯装置（７）によれば、ボタンの移動を係止するボタン係止手段を備えているので、スプレー型防犯装置（７）を使用状態にする時にのみ、ボタンを押し込めるようにセットすることができる。したがって、非使用時における誤動作を防止することが可能であるので、取り扱い性を大幅に向上させることができる。
【００２２】
また、本考案に係るスプレー型防犯装置（８）は、上記スプレー型防犯装置（１）〜（７）のいずれかにおいて、前記液状物質が、粘着性、異臭性又は汚物状の物質であることを特徴としている。
上記スプレー型防犯装置（８）によれば、液状の糊やゴムなどの粘着性物質、汚物状の物質を相手に付着させたり、アンモニアガスなどの刺激のある異臭性の物質をスプレーしたりすることができるので、相手を驚かせ、すきを生じさせ、さらには犯罪を諦めさせるという効果がある。人体に無害な液状物質を用いることができるので、この場合には、体力の低い子供が使用しても健康に害を及ぼすことがない。また、無害な物質であれば、自らにスプレーし、相手に対して、近づくことを嫌がらせる効果を期待することもできる。
【００２３】
また、本考案に係るスプレー型防犯装置（９）は、上記スプレー型防犯装置（１）〜（８）のいずれかにおいて、少なくとも、前記容器本体部及びキャップ部が、カモフラージュ用カバーで覆われていることを特徴としている。
上記スプレー型防犯装置（９）によれば、容器本体部及びキャップ部が、カモフラージュ用カバーで覆われているので、周囲の人には、中のものがスプレー型防犯装置であることがほとんど分からない。カバーのうち、ノズル孔の部分に開口部を設けておけば、カバーをしたままスプレーすることができる。したがって、相手に防犯用スプレーであることを察知される前に、スプレーすることがいっそう容易である。また、柄、手触りなど好みのカバーを選ぶことができるので、違和感を抱くことなく、常時携行することができる。さらに、カバーに紐やゴム紐などの取り付け具を設けた場合には、子供のランドセルなど、すぐに使うことができる場所に取り付けて携行することができるので、いっそう使いやすくなる。
【００２４】
また、本考案に係るスプレー型防犯装置（１０）は、上記スプレー型防犯装置（９）において、前記カモフラージュ用カバーが、縫いぐるみ状のカバーであることを特徴としている。
上記スプレー型防犯装置（１０）によれば、スプレー型防犯装置が縫いぐるみ状のカバーに包まれているので、アクセサリーのように見える。したがって、子供が取り出して手に持った場合でも、防犯用スプレーであることを相手に察知される可能性が低いので、相手に警戒心を抱かせる前に、スプレーすることができる。さらに、子供が好むキャラクターなどの縫いぐるみであれば、子供が好んで携行するので、スプレー型防犯装置を有効に利用することができる。
【００２５】
また、本考案に係るスプレー型防犯装置（１１）は、上記スプレー型防犯装置（９）又は（１０）において、前記カモフラージュ用カバーにおける前記ボタンに対応する位置に、触感によって識別可能なプッシュ部を備えていることを特徴としている。
上記スプレー型防犯装置（１１）によれば、カモフラージュ用カバーのうち、ボタンに対応する位置に、突起や窪み、又はざらざらとした部分など、指で触っただけでボタン部であることを識別できるプッシュ部が設けられているので、カモフラージュ用のカバーで覆われていても、ボタンを正確に操作することができる。したがって、防犯用スプレーであることを相手に察知されることなく、スプレー型防犯装置をいっそう効果的に使用することができる。
【００２６】
また、本考案に係るスプレー型防犯装置（１２）は、上記スプレー型防犯装置（３）又は（６）において、前記電源が電池であり、前記キャップ部又は前記警報発生手段のケース部に電池の残量表示部を備えていることを特徴としている。
上記スプレー型防犯装置（１２）によれば、発光ダイオードの光などにより、一目で電池の残量を確認できるので、電池の残量が少なくなっているのに気付かず、緊急時に警報音発生装置２１が作動しないという事態が生じることを防止することができる。
【００２７】
また、本考案に係るスプレー型防犯装置（１３）は、上記スプレー型防犯装置（１２）において、少なくとも前記容器本体部及びキャップ部が、人形又は動物の縫いぐるみ状のカモフラージュ用カバーで覆われ、前記人形又は動物の目の部分が前記電池の残量表示部となっていることを特徴としている。
【００２８】
上記スプレー型防犯装置（１３）によれば、スプレー型防犯装置が、子供が好む人形又は動物のキャラクターなどの縫いぐるみであり、縫いぐるみの目の部分に発光ダイオードなどの光で表示する電池の残量表示部となっている。そのために、子供が好んでスプレー型防犯装置を携行するとともに、縫いぐるみの目の部分には絶えず視線がいくので、電池切れに気付かずにいるということが防止することができる。したがって、緊急時煮時警報音発生装置が作動しないという事態が起こりにくく、スプレー型防犯装置をいっそう有効に利用することができる。
【考案を実施するための最良の形態】
【００２９】
以下、図面を参照し、本考案の実施の形態に係るスプレー型防犯装置を詳細に説明する。
図１は、実施の形態１に係るスプレー型防犯装置１の外観を示す斜視図である。図１に示したように、スプレー型防犯装置１は、筒状の容器本体部１１と、容器本体部１１に取り付けられたキャップ部１２とを含んで構成されている。キャップ部１２には、ノズル部１３のノズル孔１３ａが開孔する面に対応する位置に、開口部１２ａが設けられている。また、キャップ部１２には、ボタン１４が取り付けられており、このボタン１４を押すことによってノズル部１３が容器本体部１１側へ押し込まれ、容器本体部１１内の液状物質が、ノズル孔１３ａを介して、容器本体部１１の中心軸方向に噴射されるようになっている。
【００３０】
図２は、実施の形態１に係るスプレー型防犯装置１の構造を示す断面図であり、図１に示したII−II’切断線における断面構造を示している。なお、本明細書においては、容器本体部１１は、容器１６に囲まれた部分、ノズル部１３は、ノズル機構のうち容器１６の外側に位置する部分を意味するものとする。
【００３１】
図２に示したように、容器本体部１１は、容器１６、容器１６内に収容された液状物質１７、液状物質１７を加圧しノズル孔１３ａから噴射させるための加圧用ガス１８、開閉用のバルブ部１９、及び開閉用バルブ部１９を介して、液状物質１７をノズル部１３へ導くためのディップチュ−ブ１９ａを含んで構成されている。図２から明らかなように、容器本体部１１は、図１６に示した一般的なエアゾール型スプレー装置とほぼ同様の構造である。
【００３２】
容器１６は、胴部１６ａ、頭部１６ｂ及び底部１６ｃで構成されている。このうち、胴部１６ａは、アルミニウム又はめっき等の表面処理が施された鋼板で構成することができる。一方、頭部１６ｂ及び底部１６ｃは、強度の関係からめっき等の表面処理が施された鋼板で構成することが好ましい。また、胴部１６ｂの形状は筒状であり、角形の筒状でもよいが、強度、取り扱い性の観点から円筒状が好ましい。容器１６の大きさは、スプレー型防犯装置１が携帯用であるので、径：約２０〜約５０ｍｍ、長さ：約５０〜約２００ｍｍが好ましい。特に子供用の場合には、径：約４０ｍｍ以下、長さ：約１５０ｍｍ以下が好ましい。
【００３３】
液状物質１７は、暴漢等の犯人を撃退するのに効果的で、ノズル孔１３ａから噴射可能な特性を有する物質であればよい。また、液状物質１７には、容器１６内では液状で、噴射された際にガス化するものも含まれる。これらの液状物質１７には、例えば、防犯用スプレーに一般的に用いられている塗料やアンモニアなどの刺激臭や悪臭を発生する薬剤の他、人や動物の糞に似た性状で相手に嫌悪感を抱かせる物質、粘着質で始末の悪い液状のゴムや液状の糊など、用途や使用者に応じて適宜選択することができるようになっている。なお、前述の催涙性のガスを発生させるものでもよいが、人体の健康に害を及ぼす可能性がある。したがって、特に子供用のスプレー型防犯装置には、催涙性の薬剤は用いない方がよい。
【００３４】
加圧用ガス１８は、通常のエアゾール型スプレーに用いられている圧縮ガスでよく、例えば、ＬＰＧ（液化石油ガス）、ＤＭＥ（ジメチルエーテル）などの容器１６内で気化する液化ガス、又は炭酸ガスや窒素ガスなどの圧縮ガスを用いることができる。
【００３５】
なお、ディップチュ−ブ１９ａや開閉用のバルブ部１９の構造や機構、容器１６への加圧用ガス１８及び液状物質１７の充填方法などは、通常のエアゾール型のスプレー装置と同じで差し支えないので説明を省略する。ただし、バルブ部に関しては、エアゾール型スプレー装置に通常用いられているものでもよいが、実施の形態１に係るスプレー型防犯装置の場合には、横向き又は下向きに近い傾きで用いられる可能性もあるので、倒立状態でも噴射できるタイプがより好ましい。
【００３６】
図３は、スプレー型防犯装置１のキャップ部１２、ノズル部１３及びボタン１４を示す部分断面斜視図、図４は、図３に示したIV−IV’切断線における断面の構造を示す部分拡大断面図である。また、図５は、ボタン１４のノズル係止部１４ａの動きとノズル部１３との関係を示す平面図であり、（ａ）はノズル部１３が係止されている状態、（ｂ）は係止が解除されてノズル部１３が容器本体部１１側へ移動した状態を示す図である。以下、図３〜図５を参照し、バルブ部１９の弁を開くための装置構成を説明する。
【００３７】
キャップ部１２は、ポリプロピレン、塩化ビニルなどの弾性のある樹脂で構成されている。キャップ部１２の一部には、図１、図２に示したように、ボタン１４が設けられている。このボタン１４は、図３、図４に示したように、側面視Ｌ字形の形状をしており、その一端側にノズル係止部１４ａと開口部１４ｂとが形成され、他端側が固定端１４ｃとなっている。
【００３８】
ノズル部１３は、ノズルヘッド１３ｂ及びパイプ１３ｃを含んで構成されている。なお、ノズル部１３の中心軸は容器本体部１１の中心軸とほぼ同じである。容器本体部１１の中心軸と同一でもよいが、ほぼ平行であれば必ずしも同一である必要はない。パイプ１３ｃは、ノズルヘッド１３ｂと図２に示したバルブ部１９との間を、液状物質１７が通流可能なように結合するものである。また、パイプ１３ｃは、剛性のある金属、例えばステンレス鋼等の材料で形成されており、ノズルヘッド１３ｂに作用する押し下げ力をバルブ部１９に伝達することができるようになっている。
【００３９】
ノズルヘッド１３ｂは、ポリプロピレン、塩化ビニル等の樹脂で形成されており、その噴出端側の面には、少なくとも１つのノズル孔１３ａが設けられている。ノズル孔１３ａの数、ノズル径等は、液状物質１７の流動特性、液状物質１７の噴射距離、噴射角度（液状物質の広がり角）、噴射後の液滴の大きさ、加圧用ガス１８の圧力などの条件に応じて、適宜選択することが好ましい。
【００４０】
また、ノズルヘッド１３ｂの容器本体部１１側には、環状の突起部１３ｄが形成されている。この突起部１３ｄは、コイルバネ２０の受け部となっている。この突起部１３ｄとキャップ部１２の上底部１２ｂとの間に組み込まれたコイルバネ２０によって、ノズルヘッド１３ｂ、すなわちノズル部１３が容器本体部１１方向に付勢されるようになっている。図５に示したように、ノズル部１３と容器本体部１１との間には、ボタン１４の係止部１４ａが介在しており、スペーサの役割を果たしている。この状態では、ノズル部１３がコイルバネ２０で付勢されていても、ノズル部１３は容器本体部１１側に押し込まれないので、液状物質１７がノズル孔１３ａから噴射しないようになっている。
【００４１】
図５は、ノズル部１３の動きとボタン１４との関係を示す平面図及び側断面図であり、（ａ）はノズル部１３が押し下げられる前の状態、（ｂ）はノズル部１３が押し下げられた状態を示す図である。ボタン１４の一端側には、開口部１４ｂが形成されており、その開口部１４ｂとボタン１４の一端側の端面との間がノズル係止部１４ａとなっている。また、開口部１４ｂの内径はノズルヘッド１３ｂの下端部の外径より大きい。図５（ａ）から明らかなように、通常は、このノズル係止部１４ａによって、ノズル部１３が容器本体部１１側へ押し込まれないようになっている。
【００４２】
一方、図５（ｂ）に示したように、ボタン１４が押し込まれて、ノズル係止部１４ａがノズルヘッド１３ｂの下端面から離れると、ノズル部１３が、ノズル係止部１４ａの厚さに相当する距離だけ、容器本体部１１側へ押し込まれる。それによってバルブ部１９内の弁が開き、液状物質１７がノズル孔１３ａから噴射される。ノズル部１３はコイルバネ２０で押されているので、いったんノズル部１３が押し込まれると、ボタン１４を押し続けていなくても、容器本体部１１内の液状物質１７を、ほぼ全量噴射させることができる。
【００４３】
また、上記の実施の形態１に係るスプレー型防犯装置１において、携行している際に誤ってスプレーされることを防止するために、ボタン１４、１５の外側を紙などでカバーしておいてもよい。紙などの伸縮性の少ないものでカバーされていれば、携行時にボタン部に接触するものがあっても、ボタンが押される可能性が低く、使用時には指で少し強く押すだけで破ることができる。したがって、携行時にボタンが押されてしまう危険性を減らすことが可能であり、取り扱い性を向上させることができる。
【００４４】
また、キャップ部１２のノズル孔１３ａに対面する位置に設けられる開口部１２ａには、非使用時に開口部１２ａを塞ぐシャッターを設けておき、ノズル部１３を保護するようにしてもよい。
【００４５】
さらに、実施の形態１では、ノズル部１３を容器本体部１１方向へ付勢するのに、コイルバネ２０の例を示したが、バネはコイルバネでなくてもよい。ノズル部１３を容器本体部１１側へ押すことができるバネ又はバネと同様な機能を有するものであればよい。
【００４６】
上記実施の形態１に係るスプレー型防犯装置１では、ボタン１４として、キャップ部１２と一体的に形成された側面視Ｌ字形の例を示したが、ボタン１４は必ずしも側面視Ｌ字形である必要はなく、キャップ部１２と一体的である必要もない。
【００４７】
図６は、別の実施の形態に係るボタン１５を示す平面図である。図６に示したボタン１５は、回転型であり、ノズル係止部１５ａ、支点１５ｂ及びタッチ部１５ｃを備えている。ボタン１５は、支点１５ｂがキャップ部１２又は容器本体部１１に固定されており、ノズル係止部１５ａが、容器本体部１１の中心軸に対してほぼ直角方向に回転可能になっている。したがって、タッチ部１５ｃを指で押圧することにより、ボタン１５を図６に示した矢印の方向に回転させ、ノズル係止部１５ａをノズルヘッド１３ｂの係止位置からずらすことができる。その操作により、ノズル部１３が押し下げられ、液状物質１７が噴射されるようになっている。
【００４８】
さらに、ボタンは、図２〜４、及び図６に示したタイプには限定されない。非使用時にノズル部１３が押しこまれないようにし、使用時にその作用を解除できる構造であればよい。また、例えば、図２〜図４に示したボタン１４を押し込んだ後、ボタン１４が戻る力をノズル部１３に働かせたくない場合がある。
【００４９】
図７は、別の実施の形態に係る逆戻りを防止する機構を備えたボタン１４Ａの例を示す断面図であり、（ａ）はボタン１４Ａを押す前、（ｂ）はボタン１４Ａを押した後の状態を示している。ボタン１４Ａのノズル係止部１４ａの下側に突起１４ｄが設けられており、ボタン１４Ａを押し込むと、その突起１４ｄが容器本体部１１の上端の口金部１６ｄの端に引っかかるようになっている。このような簡単な機構によって、ボタン１４Ａの逆もどりを防止することができる。
【００５０】
図８は、実施の形態２に係るスプレー型防犯装置２を示す図であり、（ａ）は外観斜視図、（ｂ）は、（ａ）に示したVIII−VIII’切断線における断面図である。図８に示したスプレー型防犯装置２には、図１〜７を参照して説明したスプレー型防犯装置１に、さらに、容器本体部１１の外側に警報音発生手段が付加されている。すなわち、図８（ａ）に示した外観斜視図から明らかなように、容器本体部１１の外側に電気的に動作する警報音発生装置２１が取り付けられている。
【００５１】
図８（ｂ）に示したように、警報音発生装置２１は、乾電池などの電源２３及び警報器２４を備えている。警報器２４には、例えば、ブザー、ベル、電子音発生器などを用いることができる。電源２３と警報器２４を電気的に接続する回路（図示省略）は、図８（ｂ）に1例を示したように、キャップ部１２Ａ内に設けられたスイッチ２５によってオン・オフされる。スイッチ２５は、プラス（又はマイナス）側端子２５ａ、マイナス（又はプラス）側端子２５ｂ、及び導通端２５ｃで構成されている。プラス（又はマイナス）側端子２５ａ、マイナス（又はプラス）側端子２５ｂ、電源２３及び警報器２４との間は、図８（ａ）に示した保護カバー２２内を通って配線された導体（図示省略）によって電気的に接続されている。
【００５２】
ボタン１４Ａは、実施の形態１に係るスプレー型防犯装置１に用いられるものとほぼ同様であるが、図８（ｂ）に示したように、ノズル係止部１４ａの先が長く、その先端部に導通端２５ｃを備えている点が相違している。ボタン１４Ａの先端に取り付けられた導通端２５ｃは、プラス（又はマイナス）側端子２５ａとマイナス（又はプラス）側端子２５ｂとの間を電気的に接続する役割をするものである。すなわち、ボタン１４Ａが押されると、ノズル１３から液状物質１７が噴射されると同時に、導通端２５ｃがプラス（又はマイナス）側端子２５ａとマイナス（又はプラス）側端子２５ｂとの間に入り、両方の端子２５ａと２５ｂとが電気的に接続され、警報器２４が作動して警報音が発生するようになっている。
【００５３】
すでに、ボタン１４の動作に関して説明したように、ボタン１４Ａも、いったん押されると後戻りしないようになっているので、液状物質１７の噴射とともに、警報音発生装置２１も作動し続けるようになっている。
なお、警報音発生装置２１は、容器本体部４１の側面ではなく、底部１６ｃの外側に取り付けられていてもよい。
【００５４】
また、別の実施の形態では、警報音発生装置２１のケース２８又はキャップ１２Ａに、電源２３の残量表示部２７を備えていることが好ましい。電源の残量表示は、例えば、ＩＣと発光ダイオードとを組み合わせることにより構成可能である。発光ダイオードの光により、一目で電池の残量を確認できるので、電池の残量が少なくなっているのに気付かず、緊急時に警報音発生装置２１が作動しないという事態が生じることを防止することができる。
【００５５】
図９は、実施の形態３に係るスプレー型防犯装置３におけるボタン係止手段を示す図であり、（ａ）は、ボタン係止手段及びその近傍を示す部分拡大断面図、（ｂ）は係止状態におけるボタン係止手段の位置を示す立面図、（ｃ）は係止解除状態におけるボタン係止手段の位置を示す立面図である。
【００５６】
ボタン係止手段３１は、キャップ部１２Ｂの係止バー支持部１２ｃに、回転軸３１ｂにより、回転可能に取り付けられた係止バー３１ａと、ボタン１４Ｂに設けられた突起１４ｅとで構成されている。図９（ａ）及び（ｂ）に示した状態では、ボタン係止手段３１が作用しているので、ボタン１４Ｂを押すことができない。キャップ部１２Ｂの天井部に頭を出している係止バー３１ａの頭部３１ｃを回転させ、図９（ｃ）に示した状態にすると、ボタン１４Ｂを押し込むことができるようになっている。
【００５７】
上記のようなボタン係止手段３１を設けることによって、スプレー型防犯装置３が誤動作を生じることをほぼ確実に防止することができる。なお、上記のボタン係止手段３１は、簡単な１例を示すものであり、後に説明する電磁力を利用するタイプなどを利用することもできる。また、ボタン係止手段３１を設けるボタンの例としては、実施の形態１に係るスプレー型防犯装置１のタイプを対象として示したが、ボタン係止手段３１は、実施の形態２に係るボタン１４Ａ（図８参照）にも適用可能である。
【００５８】
図１０は、実施の形態４に係るスプレー型防犯装置４のボタン及びその近傍を示す部分拡大断面図であり、（ａ）はボタンが押される前の状態、（ｂ）はボタンが押された状態を示している。スプレー型防犯装置４の容器本体部４１の構成は、図２に示した容器本体部１１と、バルブ部１９を除きほぼ同様であるので、重複する部分の説明を省略する。なお、スプレー型防犯装置４の場合、バルブ部１９がなく、ノズル孔４３は、ノズル栓４５によって密封された構造となっている。
【００５９】
キャップ部４２には、液状物質１７を通過させるための開口部４２ａ及びボタン４４を指で操作するための開口部４２ｂが設けられている。また、開口部４２ｂの容器本体部４１側には、容器本体部４１の上端口金部４１ａのほぼ横方向に、ボタン４４を取り付けるヒンジ部４２ｃが設けられている。
【００６０】
ボタン４４は、全体はほぼ短冊状のレバー型であり、一端側に、ノズル孔４３を密封するノズル栓４５が取り付けられ、他端側にキャップ部４２のヒンジ部４２ｃに回転可能に取り付けるための支持部４４ａが設けられている。また、短冊状のボタン４４のノズル栓４５が取り付けられた位置と支持部４４ａとの間には、容器本体部４１側に折れ曲がる屈曲部４４ｂが設けられている。ボタン４４は、例えば、ポリプロピレン、塩化ビニルなどの樹脂で構成することが可能であり、その場合には、屈曲部４４ｂの厚みを薄くすることによって、屈曲部４４ｂとしての機能を発揮させることができる。
【００６１】
図１０（ｂ）に示したように、キャップ部４２の開口部４２ｂから指先を挿入し、ボタン４４の一部を容器本体部４１側に押すと、容器本体部４１の口金部４１ａの角部が支点となってボタン４４が折れ曲がり、ノズル栓４５がノズル孔４３から引き抜かれる。それによって、容器本体部４１内の液状物質１７が、ノズル孔４３から噴射される。
【００６２】
なお、別の実施の形態では、ボタン４４の支点部４４ａを回転するタイプではなく、屈曲部４４ｂと同様に、折れ曲がるタイプとしてもよい。また、ボタン４４の支点部４４ａを取り付けるヒンジ部４２ｃを、容器本体部４１に設けてもよい。さらに、ボタン４４の屈曲部４４ｂの折れ曲がり性を向上させるために、スプリングなどを利用してもよい。
【００６３】
図１１は、実施の形態５に係るスプレー型防犯装置５を示す図であり、（ａ）は外観斜視図、（ｂ）は、（ａ）に示したXI−XI’切断線における断面図である。また、図１２は、実施の形態５に係るスプレー型防犯装置５のボタン及びその近傍を示す部分拡大断面図であり、（ａ）はボタンが押される前の状態、（ｂ）はボタンが押された状態を示している。
【００６４】
スプレー型防犯装置５には、図１０を参照して説明したスプレー型防犯装置４に、さらに、容器本体部４１の外側に警報音発生手段が付加されている。すなわち、図１１（ａ）に示した外観斜視図から明らかなように、容器本体部４１の外側に電気的に動作する警報音発生装置２１が取り付けられている。この警報音発生装置２１は、図８に示したものと同様な構成となっている。
【００６５】
電源２３と警報器２４を電気的に接続する回路（図示省略）のオン・オフは、図１１（ｂ）、図１２に1例を示したように、キャップ部４２Ａ内に設けられたスイッチ５５によって行われる。このスイッチ５５は、ボタン４４Ａに取り付けられたプラス（又はマイナス）側端子５５ａと、容器本体部４１に固定されたマイナス（又はプラス）側端子５５ｂとで構成されている。プラス（又はマイナス）側端子５５ａ、マイナス（又はプラス）側端子５５ｂ、電源２３及び警報器２４との間は、開口部５２ａ、保護カバー５２内、開口部５２ｂを通って配線された導体５６によって電気的に接続されている。
【００６６】
上記のように構成されたスプレー型防犯装置５では、ボタン４４Ａが押されると、ノズル孔４３から液状物質１７が噴射されると同時に、プラス（又はマイナス）側端子５５ａとマイナス（又はプラス）側端子５５ｂとの間が電気的に接続され、ボタン４４Ａが押されている間、警報器２４が作動し、警報音を発生し続けるようになっている。
なお、警報音発生装置２１は、容器本体部４１の側面ではなく、底部４１ｃの外側に取り付けられていてもよい。
【００６７】
また、別の実施の形態では、警報音発生装置２１のケース２８又はキャップ１２Ａに、電源２３の残量表示部２７を備えていることが好ましい。電源の残量表示は、例えば、ＩＣと発光ダイオードとを組み合わせることにより構成可能である。発光ダイオードの光により、人目で電池の残量を確認できるので、電池の残量が少なくなっているのに気付かず、緊急時に警報音発生装置２１が作動しないという事態が生じることを防止することができる。
【００６８】
図１３は、実施の形態６に係るスプレー型防犯装置６におけるボタン係止手段の１例を示す部分拡大断面図及び平面図であり、（ａ）は、係止状態におけるボタンとボタン係止手段の位置関係、（ｂ）は、係止解除状態におけるボタンとボタン係止手段の位置関係を示している。なお、スプレー型防犯装置６は、図１１及び図１２に示したスプレー型防犯装置５に、さらにボタン係止手段が組み込まれたものである。
【００６９】
ボタン係止手段６１は、ソレノイド型の装置であり、コイル部６１ａと係止バー６１ｂとを備えている。コイル部６１ａは、図１１（ｂ）に示した電源２３及び図１１（ａ）に示したボタン係止手段用のスイッチ２６との間で回路が構成されており、スイッチ２６によってオン・オフが行われる。
【００７０】
スイッチ２６がオフの状態の場合、コイル部６１ａには電流が流れていないので、係止バー６１ｂは、図１３（ａ）に示したように、ボタン４４Ａと容器本体部４１の上部４１１ａとの間に位置している。したがって、この状態では、ボタン４４Ａが押し下げられることがないので、容器本体部４１内の液状物質１７が噴射されるという誤動作や、警報音発生装置２１が動作し、警報音が鳴るという誤動作が生じない。
【００７１】
スイッチ２６がオンになると、コイル部６１ａに電流が流れて、係止バー６１ｂがコイル部６１ａ側に引き込まれるので、ボタン４４Ａを押し下げることができるようになる。すなわち、スプレー型防犯装置６が使用可能な状態になる。このように、スプレー型防犯装置６を使用する場合にのみ、係止バー６１ａによる係止状態を解除するという使い方によって、スプレー型防犯装置６の誤動作の発生をほぼ確実に防止することができる。
【００７２】
なお、上記のボタン係止手段６１は、その１例を示すものであり、非使用時にボタン４４Ａが押し込まれないように機能するものであれば、その他のタイプのものを適用することができる。また、対象のボタン又はスプレー型防犯装置の例として、実施の形態５に係るスプレー型防犯装置５の場合を示したが、実施の形態４に係るスプレー型防犯装置４（図１０参照）にも適用可能である。
【００７３】
図１４は、実施の形態７に係るスプレー型防犯装置７の外観を示す斜視図である。図１４に示したスプレー型防犯装置７は、実施の形態１〜６に係るスプレー型防犯装置１〜６を対象とするものである。このスプレー型防犯装置７は、ノズル部１３、ノズル孔４３の開口部１２ａ、４２ａに対応する位置に設けられたカバー開口部７２を除き、容器本体部１１、４１及びキャップ部１２、４２を含む全体が、袋状のカモフラージュ用カバー７１で被覆されている。このカバー７１には、防犯用のスプレーであることが分からないようにする効果があるので、相手に気付かれないうちに、塗料などの液状物質１７をスプレーしたり、警報音を発生させたりすることができるという長所がある。また、日常携行する場合にも、見映えを良くすることができ、その他の携行品と接触しても接触したものを傷めにくく、手で触れた際の感触もいいという長所もある。
【００７４】
図１５は、実施の形態８に係るスプレー型防犯装置８の外観を示す正面図である。スプレー型防犯装置８は、実施の形態１〜６に係るスプレー型防犯装置１〜６を対象とするものである。このスプレー型防犯装置８は、ノズル部１３、ノズル孔４３の開口部１２ａ、４２ａに対応する位置に設けられたカバーの開口部８２を除き、容器本体部１１、４１及びキャップ部１２、４２を含む全体が、縫いぐるみ状のカモフラージュ用カバー８１で被覆されている。このカバーによって、スプレー型防犯装置８がアクセサリーのように見えるので、暴漢等の相手に防犯用のスプレーであることを察知されることがほとんどない。したがって、子供などが手に持って操作したとしても、相手が警戒心を抱く可能性が極めて低い。そのために、相手に気付かれないうちに、容易に塗料などの液状物質１７をスプレーしたり、警報音を発生させたりすることができる。
【００７５】
また、上記の実施の形態７又は８に係るスプレー型防犯装置７又は８には、実施の形態１〜３に係るスプレー型防犯装置１〜３のボタン１４に対応する位置に、突起や窪み、又はざらざらとした部分など指で触っただけで、ボタン部であることを識別できるプッシュ部７３、８３を設けてもよい。プッシュ部７３、８３が設けられている場合には、スプレー型防犯装置７、８を直接目で見て確認することなく、容易にボタン部を探り当てることができる。したがって、縫いぐるみ状のカモフラージュ用のカバー７１、８１などで覆われていても、ボタン１４を正確に探し当て操作することができる。
【００７６】
また、上記の実施の形態８の場合には、実施の形態２又は５に示したスプレー型防犯装置２、５と人形又は動物の縫いぐるみ状のカバー８１の組み合わせとし、カバー８１の目の部分を、電源２３の残量表示部としてもよい。この場合、電源２３の残量表示部は、キャップ部１２Ａ、４２Ａに設けるのがよい。
【図面の簡単な説明】
【００７７】
【図１】実施の形態１に係るスプレー型防犯装置の外観を示す斜視図である。
【図２】実施の形態１に係るスプレー型防犯装置の構造を示す断面図であり、図１に示したII−II’切断線における断面構造を示している。
【図３】スプレー型防犯装置のキャップ部、ノズル部及びボタンを示す部分断面斜視図である。
【図４】図３に示したIV−IV’切断線における断面の構造を示す部分拡大断面図である。
【図５】ボタンのノズル係止部の動きとノズル部との関係を示す平面図及び側断面図であり、（ａ）はノズル部が係止されている状態、（ｂ）は係止が解放されてノズル部が容器本体部側へ移動した状態を示している。
【図６】別の実施の形態に係るボタンを示す斜視図である。
【図７】別の実施の形態に係る逆戻り防止する機構を備えたボタンの例を示す断面図であり、（ａ）はボタンを押す前、（ｂ）はボタンを押した後の状態を示している。
【図８】実施の形態２に係るスプレー型防犯装置を示す図であり、（ａ）は外観斜視図、（ｂ）は、（ａ）に示したVIII−VIII’切断線における断面図である。
【図９】実施の形態３に係るスプレー型防犯装置におけるボタン係止手段を示す図であり、（ａ）は、ボタン係止手段及びその近傍を示す部分拡大断面図、（ｂ）は係止状態におけるボタン係止手段の位置を示す立面図、（ｃ）は係止解除状態におけるボタン係止手段の位置を示す立面図である。
【図１０】実施の形態４に係るスプレー型防犯装置のボタン及びその近傍を示す部分拡大断面図であり、（ａ）はボタンが押される前の状態、（ｂ）はボタンが押された状態を示している。
【図１１】実施の形態５に係るスプレー型防犯装置を示す図であり、（ａ）は外観斜視図、（ｂ）は、（ａ）に示したXI−XI’切断線における断面図である。
【図１２】実施の形態５に係るスプレー型防犯装置のボタン及びその近傍を示す部分拡大断面図であり、（ａ）はボタンが押される前の状態、（ｂ）はボタンが押された状態を示している。
【図１３】実施の形態６に係るスプレー型防犯装置におけるボタン係止手段の１例を示す部分拡大断面図及び平面図であり、（ａ）は、係止状態におけるボタンとボタン係止手段の位置関係、（ｂ）は、係止解除状態におけるボタンとボタン係止手段の位置関係を示している。
【図１４】実施の形態７に係るスプレー型防犯装置の外観を示す斜視図である。
【図１５】実施の形態８に係るスプレー型防犯装置の外観を示す正面図である。
【図１６】従来のエアゾール型の防犯用スプレー装置の構成を示す断面図である。
【図１７】従来のピストル型の防犯用スプレー装置の構成を示す断面図である。
【符号の説明】
【００７８】
１〜８      スプレー型防犯装置
１１、４１    容器本体部
１２、１２Ａ、４２、４２Ａ    キャップ部
１２ａ、４２ａ    開口部
１３      ノズル部
１３ａ、４３    ノズル孔
１３ｂ    ノズルヘッド
１３ｄ    突起部
１４、１５、１４Ａ、１４Ｂ、４４、４４Ａ    ボタン
１４ａ、１５ａ    ノズル係止部
１６      容器
１７      液状物質
１８      加圧用ガス
１９      バルブ部
２０      コイルバネ
２１      警報音発生装置
２３      電源
２４      警報器
２５、２６、５５    スイッチ
３１、６１      ボタン係止手段
４４ｂ    屈曲部
４５      ノズル栓
７１、８１    カモフラージュ用カバー
７２、８２、    開口部
７３、８３    プッシュ部
【図１】
0003105413.tif 000003
【図２】
0003105413.tif 000004
【図３】
0003105413.tif 000005
【図４】
0003105413.tif 000006
【図５】
0003105413.tif 000007
【図６】
0003105413.tif 000008
【図７】
0003105413.tif 000009
【図８】
0003105413.tif 000010
【図９】
0003105413.tif 000011
【図１０】
0003105413.tif 000012
【図１１】
0003105413.tif 000013
【図１２】
0003105413.tif 000014
【図１３】
0003105413.tif 000015
【図１４】
0003105413.tif 000016
【図１５】
0003105413.tif 000017
【図１６】
0003105413.tif 000018
【図１７】
0003105413.tif 000019